(57)【要約】【課題】  構造の簡素化、コストの低減、組立性及び防水性の向上を図る。【解決手段】  押釦スイッチ９ａを有するスイッチ本体９と、押釦スイッチ９ａを含むスイッチ本体９を覆う可撓性及び防水性を有するカバー部材１０と、該カバー部材１０で覆われた押釦スイッチ９ａを露出させる開口窓１１ａを有しスイッチ本体９を取付けるための取付板１１とを備え、前記カバー部材１０はスイッチ本体９の略全体を覆うように形成され、カバー部材１０の下部には開口部１０ａが設けられ、該開口部１０ａよりスイッチ本体９を挿入してカバー部材１０が装着され、且つスイッチ本体９の端子９ｂに接続された電線１２が前記開口部１０ａから引き出されている。【選択図】          図３
2006236738.tif 000002
【特許請求の範囲】
【請求項１】
押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されていることを特徴とするスイッチの防水構造。
【請求項２】
開閉操作用のスイッチを備えた電動シャッターであって、前記スイッチは、押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されていることを特徴とする電動シャッター。
【発明の詳細な説明】
【技術分野】
【０００１】
本発明は、屋外に設置されるスイッチは勿論のこと、屋内でも水滴等の多い場所に設置されるスイッチの防水構造及びこれを用いた電動シャッターに関する。
【背景技術】
【０００２】
スイッチ、例えばシャッターの開閉操作を行うスイッチにおいては、屋外に設置される場合、防水性が要求されるため、従来では、防雨型のスイッチ本体が用いられているが、この防雨型のスイッチ本体は外形寸法が大きく、価格も高いため、標準のスイッチ本体を使用することで省スペース化及び低コスト化を図りたいという要望があった。このような要望に応えるために、例えば特開平１０−２５５５７６号公報に記載されているような屋外用スイッチの防水構造が提案されている。
【０００３】
図６は従来の屋外用スイッチの防水構造を示す分解斜視図である。この屋外用スイッチは、前面部に押釦スイッチ２０ａを有するスイッチ本体２０と、可撓性部材からなる第１カバー体２１及び第２カバー体２２と取付プレート２３とを備え、第１カバー体２１は前面部、側面部及び後面部を有すると共に前面部には周縁部２１ａを残して開口部２２１ｂが形成してあり、スイッチ本体２０の前面側を露出させた状態でスイッチ本体２０全体を第１カバー体２１で覆うと共に、シート状の第２カバー体２２でスイッチ本体２０の前面側及び第１カバー体２１の周縁部２１ａを覆い、押釦スイッチ操作用の大きな開口窓２３ａを有する取付プレート２３を第２カバー体２２を覆うように設け、スイッチ本体２０、第１カバー体２１、第２カバー体２２を取付プレート２３に固着している。第１カバー体２１の後面部には複数本の電線２４を個々に差込むための突起状の複数の配線差込口２１ｃが一体的に設けられている。
【０００４】
【特許文献１】特開平１０−２５５５７６号公報
【発明の開示】
【発明が解決しようとする課題】
【０００５】
しかしながら、前記屋外用スイッチの防水構造においては、２つのカバー体２１，２２を必要とし、構造が複雑であるため、コストの上昇及び組立の煩雑化を招いている。また、スイッチ本体２０の端子に電線２４を結線する場合、電線２４を第１カバー体２１の後面部の各電線差込口２１ｃから個々に差込み、前面部の開口部２２１ｂより引き出してスイッチ本体２０の端子につなぐ必要があり、その作業終了後、つながれた電線２４と共にスイッチ本体２０を第１カバー体２１内にセットする場合には、電線差込口２１ｃと電線２４との摩擦抵抗により電線同士が第１カバー体２１内で絡み合ったりして、組立性が非常に悪い。
【０００６】
現場での配線の場合、前述したように第１カバー体２１内での配線作業に手間がかかるため、第１カバー体外で電線の接続を行う中ブラ外部配線を行うように指示される場合があり、この場合、電線の接続部分を絶縁テープで被覆することにより防水機能を維持させようとしているが、この方法では作業員の技量により防水機能が損なわれてしまう場合があり、また、経年変化により絶縁テープの粘着性能が劣化して防水機能が損なわれる場合もある。また、第１カバー体２１には前面部に開口部２１ｂが、後面部に電線差込口２１ｃが形成されているため、第１カバー体２１の前面部を第２カバー体２２で覆ったとしても、開口部２１ｂや電線差込口２１ｃから水滴ないし雨水等の水が毛細管現象により浸入する恐れがある。
【０００７】
本発明は、上記事情を考慮してなされたものであり、構造の簡素化、コストの低減、組立性及び防水性の向上が図れるスイッチの防水構造及び電動シャッターを提供することを目的とする。
【課題を解決するための手段】
【０００８】
本発明のうち、請求項１に係る発明は、押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されていることを特徴とする。
【０００９】
請求項２に係る発明は、開閉操作用のスイッチを備えた電動シャッターであって、前記スイッチは、押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されていることを特徴とする。
【発明の効果】
【００１０】
請求項１に係る発明によれば、押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されているため、構造の簡素化、コストの低減、組立性及び防水性の向上が図れる。
【００１１】
請求項２に係る発明によれば、開閉操作用のスイッチを備えた電動シャッターであって、前記スイッチは、押釦スイッチを有するスイッチ本体と、押釦スイッチを含むスイッチ本体を覆う可撓性及び防水性を有するカバー部材と、該カバー部材で覆われた押釦スイッチを露出させる開口窓を有しスイッチ本体を取付けるための取付板とを備え、前記カバー部材はスイッチ本体の略全体を覆うように形成され、カバー部材の下部には開口部が設けられ、該開口部よりスイッチ本体を挿入してカバー部材が装着され、且つスイッチ本体の端子に接続された電線が前記開口部から引き出されているため、構造の簡素化、コストの低減、組立性及び防水性の向上が図れる。
【発明を実施するための最良の形態】
【００１２】
以下に、本発明を実施するための最良の形態について、添付図面を基に詳述する。図１は本発明の実施の形態である電動シャッターの構造を概略的に示す図、図２はスイッチボックスを示す図で、（ａ）は正面図、（ｂ）は側面図、（ｃ）は概略的横断面図、図３の（ａ）は同スイッチボックスの拡大縦断面図、（ｂ）は（ａ）のＡ部拡大図、図４は取付板にスイッチ本体を取付けた状態を示す図で、（ａ）は正面図、（ｂ）は底面図、図５はカバー部材を示す図で、（ａ）は正面図、（ｂ）は底面図、（ｃ）は縦断面図である。
【００１３】
図１において、１は電動シャッターで、この電動シャッター１は、建物の開口部２の左右両側部に設けられ、シャッターカーテン（シャッタースラットを鎧状につないだもの）３の両側部を上下方向に案内するガイドレール４と、該ガイドレール４の上方に設けられシャッターカーテン３を巻き上げ下げする巻取軸５と、該巻取軸５を回転駆動する電動開閉機６と、該電動開閉機６を操作するスイッチ７とを備えている。スイッチ７は例えば屋外の壁８に設置されている。
【００１４】
スイッチ７は、押釦スイッチ９ａを有するスイッチ本体９と、押釦スイッチ９ａを含むスイッチ本体９を覆う可撓性及び防水性を有するカバー部材１０と、該カバー部材１０で覆われた押釦スイッチ９ａを露出させる開口窓１１ａを有しスイッチ本体９を取付けるための取付板１１とを備えている。また、図示例のスイッチ７は後述のスイッチボックス（操作ボックスともいう）１５内に収容されている。
【００１５】
前記スイッチ本体９は、縦長の直方体状に形成され、その前面部には開操作用、停止操作用、閉操作用の３つの押釦スイッチ９ａが設けられている。図示例の押釦スイッチ９ａは前面から突出した状態に設けられている。スイッチ本体９の側面部には操作信号通信用の電線１２を接続するための複数の端子９ｂが設けられている。前記カバー部材１０は、例えばシリコンゴムからなっている。また、カバー部材１０は透明又は半透明であることが好ましい。
【００１６】
カバー部材１０は前記スイッチ本体９の略全体を覆うように形成され、カバー部材１０の下部には開口部１０ａが設けられている。カバー部材１０は下部すなわち下端部のみに開口部１０ａが形成されている。カバー部材１０はスイッチ本体９の略全体を覆うように内部が中空の縦長の直方体状に形成され、前面部には押釦スイッチ９ａと対応した形状の内側が中空の突状部１０ｂが一体形成されている。図示例のカバー部材１０の下部には、スイッチ本体９の下面部の周縁部を覆う内向きのフランジ部１０ｃが一体形成されている。
【００１７】
前記カバー部材１０の下部の開口部１０ａよりスイッチ本体９を挿入することによりスイッチ本体９の略全体を覆うようにカバー部材１０が装着され、且つスイッチ本体９の端子９ｂに接続された複数本の電線１２が前記開口部１０ａから引き出されている。このようにカバー部材１０で覆われたスイッチ本体９の前面部には前記取付板１１が固着具例えばネジ１３で取付けられ、このようにしてスイッチ７が組立てられる。
【００１８】
前記取付板１１はカバー部材１０で覆われたスイッチ本体９の前面部よりも大きい長方形の板材で形成されており、カバー部材１０の突状部１０ｂで覆われた押釦スイッチ９ａを露出ないし突出させるための該押釦スイッチ９ａと対応した形状の開口窓１１ａが形成されている。なお、前記取付板１１をスイッチ本体９に取付固定するネジ１３が取付板１１及びカバー部材１０を貫通しているため、その貫通部から水滴がカバー部材１０の内部やスイッチ本体９に毛細管現象等により浸入するのを防止するために、ネジ１３の頭部１３ａと取付板１１との間には止水部材例えばＯリング１４が設けられていることが好ましい（図３参照）。
【００１９】
一方、前記スイッチボックス１５は、前面部が開口された箱本体１５ａと、この箱本体１５ａの前面部に支軸１５ｂを介して回動開閉自在に設けられた蓋体１５ｃとから主に構成されている。図示例のスイッチボックス１５は、蓋体１５ｃにシリンダ錠１５ｄが設けられている。このスイッチボックス１５の箱本体１５ａ内には、前述のように組立てられたスイッチ７が取付けられている。箱本体１５ａ内の奥行方向略中間位置には取付板１１の裏面周縁部を当接させる内向きフランジ状の取付縁部１５ｅが設けられていると共に、該取付縁部１５ｅの後方には取付板１１を取付固定するネジ１６を捩じ込むための固定板１５ｆが設けられている。
【００２０】
スイッチ本体９の端子９ｂに接続されてカバー部材１０の下部の開口部１０ａから引き出された電線１２は箱本体１５ａの上部又は下部に設けられた図示しない穴から箱本体１５ａ外に引き出され、電動シャッター１の電動開閉器６の制御部まで導かれている。スイッチボックス１５は、例えば屋外の壁８に箱本体１５ａを埋め込んだ状態又は埋め込まない状態で取付けられる。
【００２１】
以上の構成からなるスイッチ７又は該スイッチ７を備えた電動シャッター１によれば、押釦スイッチ９ａを有するスイッチ本体９と、押釦スイッチ９ａを含むスイッチ本体９を覆う可撓性及び防水性を有するカバー部材１０と、該カバー部材１０で覆われた押釦スイッチ９ａを露出させる開口窓１１ａを有しスイッチ本体９を取付けるための取付板１１とを備え、前記カバー部材１０はスイッチ本体９の略全体を覆うように形成され、カバー部材１０の下部には開口部１０ａが設けられ、該開口部１０ａよりスイッチ本体９を挿入してカバー部材１０が装着され、且つスイッチ本体９の端子９ｂに接続された電線１２が前記開口部１０ａから引き出されているため、構造の簡素化、コストの低減、組立性及び防水性の向上が図れる。
【００２２】
すなわち、前記スイッチ７においては、下部に開口部１０ａを有する１つのカバー部材１０によりスイッチ本体９の略全体を覆っているため、２つのカバー体を必要とする従来の屋外用スイッチの防水構造に比して、構造の簡素化が図れると共に、コストの低減、組立性及び防水性の向上が図れる。特に、スイッチ本体９をカバー部材１０内にセットする場合、スイッチ本体９の端子９ｂに電線１２を結線した状態でスイッチ本体９をカバー部材１０の下部の開口部１０ａからカバー部材１０内に挿入するだけで良く、しかも、これと同時に複数本の電線１２も一括して開口部１０ａから下方へ引き出された状態となるため、組立性が非常に良い。
【００２３】
また、電線１２の本数が１本増えた場合（例えばスイッチボックスを壁を挟んで屋外と屋内に設置する場合等）でも、カバー部材１０の下部の開口部１０ａから引き出せるので、容易に対応することができる（従来のものは配線差込口の数が限られているため電線数を増加することが困難である）。更に、カバー部材１０は下部に開口部１０ａを有しており、この開口部１０ａから電線１２が引き出されているため、電線１２を伝わったり或いは毛細管現象等によりカバー部材１０内及びスイッチ本体９に水滴ないし雨水等の水が入り込みにくく、防水性の向上が図れる。実施例のようにカバー部材１０の開口部１０ａがスイッチ本体９の下面（底面）に位置しており、且つ内向きのフランジ部１０ｃにより開口部１０ａの口径がスイッチ本体９の下面よりも窄まっているため、一層水滴が入り込みにくく、防水性の更なる向上が図れる。また、中ブラ外部配線を行う必要がないので、防水機能が十分に維持される。
【００２４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、スイッチないしスイッチボックスは、屋内に設置されていても良い。本発明のスイッチは必ずしもスイッチボックスを必要とするものではなく、壁に直接取付けても良い。カバー部材の下部の開口部は、スイッチ本体の下面と同じ位置か下面よりも下方に位置していることが好ましいが、スイッチ本体の下面よりも少しだけ上方に位置していても良い。
【図面の簡単な説明】
【００２５】
【図１】本発明の実施の形態である電動シャッターの構造を概略的に示す図である。
【図２】スイッチボックスを示す図で、（ａ）は正面図、（ｂ）は側面図、（ｃ）は概略的横断面図である。
【図３】（ａ）は同スイッチボックスの拡大縦断面図、（ｂ）は（ａ）のＡ部拡大図である。
【図４】取付板にスイッチ本体を取付けた状態を示す図で、（ａ）は正面図、（ｂ）は底面図である。
【図５】カバー部材を示す図で、（ａ）は正面図、（ｂ）は底面図、（ｃ）は縦断面図である。
【図６】従来の屋外用スイッチの防水構造を示す分解斜視図である。
【符号の説明】
【００２６】
１  電動シャッター
７  スイッチ
９  スイッチ本体
９ａ  押釦スイッチ
９ｂ  端子
１０  カバー部材
１０ａ  開口部
１１  取付板
１１ａ  開口窓
１２  電線
【図１】
2006236738.tif 000003
【図２】
2006236738.tif 000004
【図３】
2006236738.tif 000005
【図４】
2006236738.tif 000006
【図５】
2006236738.tif 000007
【図６】
2006236738.tif 000008